(57)【要約】【課題】電圧降下に起因する突然の消灯によってユーザが対応に困らないようにする。【解決手段】電池電圧検出信号１１ａによって検出された電池１８の電圧値を電池１８の残容量として検出し、ＬＥＤ光源２１を点灯させる前に電圧値と第１の閾値電圧Ｖｔｈ１とを比較して電池１８の残容量を判定し、判定結果に基づいてＬＥＤ光源２１の輝度を変化させるようにした。【選択図】図３
2010134009.tif 000002
【特許請求の範囲】
【請求項１】
投影用の光源を有し、光学像を投影する投影手段と、
前記光源を駆動する電池の残容量を検出する電池残容量検出手段と、
前記光源を点灯させる前に前記電池残容量検出手段によって検出された残容量と第１の閾値との比較結果に基づいて前記電池の残容量を判定する判定手段と、
前記判定手段の判定結果に基づいて前記光源の輝度を変化させる制御手段とを備えていることを特徴とする投影装置。
【請求項２】
前記電池残容量検出手段は、前記電池の電池電圧を検出することを特徴とする請求項１記載の投影装置。
【請求項３】
前記電池の残容量が第１の閾値以上のとき、前記制御手段は前記光源を第１の駆動電流で駆動することを特徴とする請求項１又は２記載の投影装置。
【請求項４】
前記電池の残容量が前記第１の閾値未満であって前記第１の閾値より小さい第２の閾値以上のとき、前記制御手段は前記第１の駆動電流より小さい第２の駆動電流で前記光源を駆動することを特徴とする請求項１又は２記載の投影装置。
【請求項５】
前記電池の残容量を表示する表示手段を備え、
前記電池の残容量が前記第１の閾値より小さい第２の閾値未満のとき、前記制御手段は前記光源への前記駆動電流の供給を停止するとともに、前記表示手段に前記電池の残容量が少ないことを表示させることを特徴とする請求項１又は２記載の投影装置。
【請求項６】
前記光源の点灯中の前記電池の残容量が前記第１の閾値より小さい第２の閾値より小さい第３の閾値未満になったとき、前記制御手段は前記第１の駆動電流より小さい第２の駆動電流で前記光源を駆動することを特徴とする請求項３記載の投影装置。
【請求項７】
前記光源の点灯中の前記電池の残容量が前記第２の閾値より小さい第３の閾値未満になったとき、前記制御手段は前記第１の駆動電流より小さく前記第２の駆動電流より大きい第３の駆動電流で前記光源を駆動することを特徴とする請求項４記載の投影装置。
【請求項８】
前記制御手段は前記第１の駆動電流から前記第１の駆動電流より小さい第２の駆動電流へと駆動電流値を漸減させながら前記光源を駆動することを特徴とする請求項３記載の投影装置。
【請求項９】
前記制御手段は前記第２の駆動電流より大きい第３の駆動電流から前記第２の駆動電流へと駆動電流値を漸減させながら前記光源を駆動することを特徴とする請求項４記載の投影装置。
【請求項１０】
前記光源はＬＥＤであることを特徴とする請求項１〜９のいずれか１項記載の投影装置。
【発明の詳細な説明】
【技術分野】
【０００１】
この発明は投影装置に関する。
【背景技術】
【０００２】
電源としてバッテリを用いるハンディタイプのプロジェクタにとって消費電力の増大は大きな問題である。従来、バッテリの電圧を所定時間毎にチェックし、バッテリの放電状態が「電池残量少」及び「電池残量なし」のいずれかになるとバッテリの状態を示す電池アイコン(電池情報)を投影像に重ね合成するプロジェクタが知られている（下記公報参照）。
【特許文献１】特開２００７−７８８０７号公報
【発明の開示】
【発明が解決しようとする課題】
【０００３】
ところで、光源の駆動電流は数百ｍＡ以上と大きく、電池の内部抵抗、電池接片の接触不良、配線抵抗等の影響を受け易く、プロジェクタの光源の点灯と同時に発生する電圧降下によって、電池電圧が点灯禁止の閾値より低下したり、システムリセット（ユーザに何らの警告もなく光源がオフになる状態）等を起こしたりすることがある。特に、システムリセットの場合には、その原因がわからないため、ユーザが対応に困るおそれがある。
【０００４】
この発明はこのような事情に鑑みてなされたもので、その課題は電圧降下に起因する突然の消灯によってユーザが対応に困らないようにすることである。
【課題を解決するための手段】
【０００５】
上記課題を解決するため請求項１記載の発明は、投影用の光源を有し、光学像を投影する投影手段と、前記光源を駆動する電池の残容量を検出する電池残容量検出手段と、前記光源を点灯させる前に前記電池残容量検出手段によって検出された残容量と第１の閾値との比較結果に基づいて前記電池の残容量を判定する判定手段と、前記判定手段の判定結果に基づいて前記光源の輝度を変化させる制御手段とを備えていることを特徴とする。
【０００６】
請求項２に記載の発明は、請求項１記載の投影装置において、前記電池残容量検出手段は、前記電池の電池電圧を検出することを特徴とする。
【０００７】
請求項３に記載の発明は、前記電池の残容量が第１の閾値以上のとき、前記制御手段は前記光源を第１の駆動電流で駆動することを特徴とする請求項１又は２記載の投影装置。
【０００８】
請求項４に記載の発明は、請求項１又は２記載の投影装置において、前記電池の残容量が前記第１の閾値未満であって前記第１の閾値より小さい第２の閾値以上のとき、前記制御手段は前記第１の駆動電流より小さい第２の駆動電流で前記光源を駆動することを特徴とする。
【０００９】
請求項５に記載の発明は、請求項１又は２記載の投影装置において、前記電池の残容量を表示する表示手段を備え、前記電池の残容量が前記第１の閾値より小さい第２の閾値未満のとき、前記制御手段は前記光源への前記駆動電流の供給を停止するとともに、前記表示手段に前記電池の残容量が少ないことを表示させることを特徴とする。
【００１０】
請求項６に記載の発明は、請求項３記載の投影装置において、前記光源の点灯中の前記電池の残容量が前記第１の閾値より小さい第２の閾値より小さい第３の閾値未満になったとき、前記制御手段は前記第１の駆動電流より小さい第２の駆動電流で前記光源を駆動することを特徴とする。
【００１１】
請求項７に記載の発明は、請求項４記載の投影装置において、前記光源の点灯中の前記電池の残容量が前記第２の閾値より小さい第３の閾値未満になったとき、前記制御手段は前記第１の駆動電流より小さく前記第２の駆動電流より大きい第３の駆動電流で前記光源を駆動することを特徴とする。
【００１２】
請求項８に記載の発明は、請求項３記載の投影装置において、前記制御手段は前記第１の駆動電流から前記第１の駆動電流より小さい第２の駆動電流へと駆動電流値を漸減させながら前記光源を駆動することを特徴とする。
【００１３】
請求項９に記載の発明は、請求項４記載の投影装置において、前記制御手段は前記第２の駆動電流より大きい第３の駆動電流から前記第２の駆動電流へと駆動電流値を漸減させながら前記光源を駆動することを特徴とする。
【００１４】
請求項１０に記載の発明は、請求項１〜９のいずれか１項記載の投影装置において、前記光源はＬＥＤであることを特徴とする。
【発明の効果】
【００１５】
この発明によれば、電圧降下に起因する突然の消灯によってユーザが対応に困らないようにすることができる。
【発明を実施するための最良の形態】
【００１６】
以下、この発明の実施の形態を図面に基づいて説明する。
【００１７】
図１はこの発明の第１実施形態に係る投影装置１の構成を示すブロック図、図２は投影装置１の使用状態を示す斜視図である。
【００１８】
投影装置１は主制御部であるＣＰＵ（制御手段）１０を備えている。ＣＰＵ１０には、ＬＥＤ光源（投影用の光源）２１を駆動する電池１８の電圧を検出して電源１８の残容量を検出する電池電圧検出回路（電池残容量検出手段）１１、電源モジュール１４のオン・オフを行うメインスイッチ１２、電源モジュール１４がオンの状態にあることを表示する表示部（表示手段）１３、投影用光源駆動回路１５、投影光学系（投影手段）２０、表示用画像データ処理回路１６、画像表示ドライバ１７が接続されている。
【００１９】
ＣＰＵ１０はＬＥＤ光源２１を点灯させる前に電池電圧検出回路１１によって検出された電池１８の電圧値と第１の閾値電圧との比較結果に基づいて電池１８の残容量を判定する判定手段としての機能を有する。
【００２０】
ＣＰＵ１０はメインスイッチ１２が押されたとき、電源起動信号１０ａを出力して電源モジュール１４を起動させるとともに、表示指示信号１０ｂを出力して表示部１３を表示する。表示部１３は例えばＬＥＤで構成されている。
【００２１】
ＣＰＵ１０は電池１８の電圧値と第１の閾値電圧との比較結果に基づいて判定された電池１８の残容量に基づいて光源２１の輝度を変化させる電流値指示信号１０ｇを出力する。
【００２２】
投影用光源駆動回路１５はＣＰＵ１０からのＬＥＤ光源２１の点灯を制御するＬＥＤ点灯制御信号１０ｃ及び前記電流値指示信号１０ｇに基づいてＬＥＤ光源２１への電力供給を制御して、ＬＥＤ光源２１の点灯及び消灯を行う。
【００２３】
表示用画像データ処理回路１６は外部インタフェース（外部Ｉ／Ｆ）１９Ａ及びメモリカード１９Ｂに接続されている。外部インタフェース１９Ａは外部機器（図示せず）との間で映像・音声データ、プロジェクタの制御データの送受信を行う。また、メモリカード１９Ｂは映像・音声データの書込み、読み出し等を行うための記憶メディアである。
【００２４】
表示用画像データ処理回路１６は入力した画像信号１９ｂの同期状態から画像信号１９ｂが有効であるか無効であるかを判断し、画像有効/無効信号１６ａをＣＰＵ１０へ出力する。画像信号１９ｂには画像信号の走査タイミングを規定する各種同期信号（水平同期信号や垂直同期信号等）が含まれている。
【００２５】
また、画像信号１９ｂは表示用画像データ処理回路１６でＡ／Ｄ変換され、デジタルの画像信号１６ｂとして画像表示ドライバ１７へ出力される。
【００２６】
画像表示ドライバ１７はＣＰＵ１０からの制御信号１０ｅを入力すると、表示用画像データ処理回路１６から出力された画像信号１６ｂに応じて、画像表示素子２２を駆動するための画像信号１７ｃを生成する。
【００２７】
投影光学系２０はＬＥＤ光源２１と画像表示素子２２と投影レンズ（図示せず）とを備えている。
【００２８】
ＬＥＤ光源２１は、放電型光源ランプに比べて、電源を含めて小型化が可能である上、瞬時点灯・瞬時消灯が可能であること、輝度変更を短時間に繰り返しても光源に対する負荷が小さく安定な発光が可能であること、長寿命であること等、投影装置の光源として多くの利点を有する。
【００２９】
画像表示素子２２は例えば液晶ライトバルブであり、画像表示素子２２はＣＰＵ１０からの制御信号１０ｆを入力すると、ＬＥＤ光源２１から射出された光を画像信号１７ｃに基づいて変調することにより、画像信号１７ｃに応じた光学像を形成する。画像表示素子２２で形成された光学像は投影レンズ（図示せず）によってスクリーン５等に拡大投影される（図２参照）。
【００３０】
次に、この実施形態の投影装置１の動作を図３、４に基づいて説明する。
【００３１】
図３はこの発明の第１実施形態に係る投影装置の点灯前の電圧チェックを説明するフローチャート、図４(ａ)、(ｂ)は電池電圧Ｖに対する駆動電流の供給方法を説明する図である。図３において、Ｓ１１〜Ｓ１６は各処理ステップを示す。図４(ａ)、(ｂ)において、縦軸のＶｔｈ１、Ｖｔｈ２、Ｖｔｈ３は電池１８の閾値電圧であり、Ｉｓｅｔ１、Ｉｓｅｔ２（Ｉｓｅｔ１＞Ｉｓｅｔ２）は光源２１の駆動電流であり、横軸のｔ０、ｔ３、ｔ４はチェック時点である。
【００３２】
ＣＰＵ１０は光源２１を点灯させる前に電池電圧検出回路１１からの電池電圧検出信号１１ａを入力し、電池１８の電圧Ｖをチェックする（Ｓ１１）。
【００３３】
ＣＰＵ１０は、電池１８の電圧Ｖが第１の閾値電圧Ｖｔｈ１以上であるか否かを判断する（Ｓ１２）。
【００３４】
ＣＰＵ１０は図４(ａ)に示すように電池１８の電圧Ｖが第１の閾値電圧Ｖｔｈ１以上であるとき（ＹＥＳ）（図４のｔ０）、ＬＥＤ光源２１の駆動電流をＩｓｅｔ１に設定し、図示しない別のルーチンへ進んでＬＥＤ光源２１を点灯させる（Ｓ１３）。駆動電流Ｉｓｅｔ１によるＬＥＤ光源２１の点灯は電池１８の電圧Ｖが第３の閾値電圧Ｖｔｈ３未満になるまで維持される。
【００３５】
ＣＰＵ１０は電池１８の電圧Ｖが図４(ｂ)に示すように第１の閾値電圧Ｖｔｈ１未満であるとき（ＮＯ）、電池１８の電圧Ｖが第２の閾値電圧Ｖｔｈ２以上であるか否かを判断する（Ｓ１４）。
【００３６】
ＣＰＵ１０は電池１８の電圧Ｖが第２の閾値電圧Ｖｔｈ２以上であるとき（ＹＥＳ）（図４(ｂ)のｔ０）、駆動電流をＩｓｅｔ２（但し、Ｉｓｅｔ２＜Ｉｓｅｔ１）に設定し、図示しない別のルーチンへ進んでＬＥＤ光源２１を点灯させる（Ｓ１５）。駆動電流Ｉｓｅｔ２によるＬＥＤ光源２１の点灯は電池１８の電圧Ｖが第３の閾値電圧Ｖｔｈ３未満になるまで維持される。
【００３７】
図４(ｂ)、４(ａ)からわかるように、ＬＥＤ光源２１を点灯させる前の電池１８の電圧Ｖが第１の閾値電圧Ｖｔｈ１未満であるときは電池１８の電圧Ｖが第１の閾値電圧Ｖｔｈ１以上であるときより電池１８の電圧降下の割合が小さい。
【００３８】
電池１８の電圧Ｖが第２の閾値電圧Ｖｔｈ２未満になったとき（ＮＯ）、ＬＥＤ光源２１の点灯を禁止するフラグをセットし、図示しない別のルーチンへ進んでＬＥＤ光源２１を消灯させる（Ｓ１６）。このとき、電池残量が僅かとなったのでＬＥＤ光源２１を消灯することをユーザに音等で知らせる。
【００３９】
この実施形態によれば、電池１８の電圧Ｖの変化に応じてＬＥＤ光源２１の駆動電流を変化させるので、電圧降下に起因する突然の消灯によってユーザが対応に困らない。
【００４０】
図５はこの発明の第２実施形態に係る投影装置の点灯前の電圧チェックを説明するフローチャート、図６はこの発明の第２実施形態に係る投影装置の点灯中の電圧チェックを説明するフローチャート、図７(ａ)、(ｂ)、（ｃ）は電池電圧に対する駆動電流の供給方法を説明する図であり、第１実施形態と共通する部分の説明は省略する。図５及び図６において、Ｓ２１〜Ｓ２６及びＳ２０１〜Ｓ２０５はそれぞれ各処理ステップを示す。図７(ａ)、(ｂ)、（ｃ）において、縦軸のＶｔｈ１、Ｖｔｈ２、Ｖｔｈ３、Ｖｔｈ４は電池１８の閾値電圧であり、横軸のｔ１０〜ｔ１６はそれぞれチェック時点である。なお、閾値電圧Ｖｔｈ１、Ｖｔｈ２は点灯前の電圧検出に用いる閾値であり、閾値電圧Ｖｔｈ３、Ｖｔｈ４は点灯中の電圧検出に用いる閾値である。また、図７（ｃ）の供給方法では駆動電流をＩｓｅｔ２＝Ｉｓｅｔ３とした。
【００４１】
ＣＰＵ１０は光源２１を点灯させる前に電池電圧検出回路１１からの電池電圧検出信号１１ａを入力し、電池１８の電圧Ｖをチェックする（Ｓ２１）。
【００４２】
ＣＰＵ１０は電池１８の電圧Ｖが第１の閾値電圧Ｖｔｈ１以上であるか否かを判断する（Ｓ２２）。
【００４３】
ＣＰＵ１０は、図７(ａ)に示すように電池１８の電圧Ｖが第１の閾値電圧Ｖｔｈ１以上であるとき（ＹＥＳ）（図７(ａ)のｔ１０）、ＬＥＤ光源２１の駆動電流をＩｓｅｔ１に設定し、図示しない別のルーチンへ進んでＬＥＤ光源２１を点灯させる（Ｓ２３）。
【００４４】
ＬＥＤ光源２１が点灯すると電池１８の電圧Ｖがチェックされる（Ｓ２０１）。
【００４５】
ＣＰＵ１０は電池１８の電圧Ｖが第３の閾値電圧Ｖｔｈ３以上であるか否かを判断する（Ｓ２０２）。
【００４６】
電池１８の電圧Ｖが第３の閾値電圧Ｖｔｈ３以上であれば、図示しない別のルーチンへ進み、ＬＥＤ光源２１の点等を継続するが、電池１８の電圧Ｖが第３の閾値電圧Ｖｔｈ３未満であれば（ＮＯ）、電池１８の電圧Ｖが第４の閾値電圧Ｖｔｈ４以上であるか否かを判断する（Ｓ２０３）。
【００４７】
電池１８の電圧Ｖが第４の閾値電圧Ｖｔｈ４以上であるとき（ＹＥＳ）、駆動電流をＩｓｅｔ２に設定する（Ｓ２０４）。
【００４８】
駆動電流Ｉｓｅｔ１によるＬＥＤ光源２１の点灯中に電池１８の電圧Ｖが第４の閾値電圧Ｖｔｈ４以上かつ第３の閾値電圧Ｖｔｈ３未満になると駆動電流をＩｓｅｔ１からＩｓｅｔ２に切り換える。その後、電池１８の電圧Ｖは時間とともに漸減する。駆動電流がＩｓｅｔ１からＩｓｅｔ２に減少するため、図７(ａ)に示すチェック時点ｔ１１以後の電池１８の電圧降下の割合がｔ１１以前より小さくなる。
【００４９】
ＣＰＵ１０は電池１８の電圧Ｖが第４の閾値電圧Ｖｔｈ４未満のとき（ＮＯ）、ＬＥＤ光源２１の点灯を禁止するフラグをセットし、図示しない別のルーチンへ進んでＬＥＤ光源２１を消灯させる（Ｓ２０５）。このとき、電池残量が僅かとなったのでＬＥＤ光源２１を消灯することをユーザに音等で知らせる。
【００５０】
図７(ｂ)に示すように点灯前の電池１８の電圧Ｖが第１の閾値電圧Ｖｔｈ１未満であるとき（ＮＯ）、電池１８の電圧Ｖが第２の閾値電圧Ｖｔｈ２以上であるか否かを判断する（Ｓ２４）。
【００５１】
ＣＰＵ１０は電池１８の電圧Ｖが第２の閾値電圧Ｖｔｈ２以上であるとき（ＹＥＳ）（図７(ｂ)のｔ１０）、駆動電流をＩｓｅｔ３（但し、Ｉｓｅｔ２＜Ｉｓｅｔ３＜Ｉｓｅｔ１）に設定し、図示しない別のルーチンへ進んでＬＥＤ光源２１を点灯させる（Ｓ２５）。
【００５２】
点灯中の電圧チェックのルーチン（図６参照）へ進み、駆動電流Ｉｓｅｔ３によるＬＥＤ光源２１の点灯中に電池１８の電圧Ｖが第３の閾値電圧Ｖｔｈ３未満（図７(ｂ)のｔ１４）になるまで駆動電流Ｉｓｅｔ３に維持される。電池１８の電圧Ｖが第３の閾値電圧Ｖｔｈ３未満（ｔ１４）になったとき、駆動電流をＩｓｅｔ３からＩｓｅｔ２に切り換える。その後、電池１８の電圧Ｖは時間とともに漸減する。駆動電流がＩｓｅｔ３からＩｓｅｔ２に減少するため、図７(ｂ)に示すチェック時点ｔ１４以後の電池１８の電圧降下の割合がｔ１４以前より小さくなる。駆動電流Ｉｓｅｔ２によるＬＥＤ光源２１の点灯は電池１８の電圧が第４の閾値電圧Ｖｔｈ４未満になるまで維持される。
【００５３】
電池１８の電圧Ｖが第４の閾値電圧Ｖｔｈ４未満になったとき（ＮＯ）、ＬＥＤ光源２１の点灯を禁止するフラグをセットし、図示しない別のルーチンへ進んでＬＥＤ光源２１を消灯させる（Ｓ２６）。このとき、電池残量が僅かとなったのでＬＥＤ光源２１を消灯することをユーザに音等で知らせる。
【００５４】
なお、閾値電圧Ｖｔｈ１、Ｖｔｈ２、Ｖｔｈ３、Ｖｔｈ４は、電池１８の電圧Ｖを検出するタイミングにより必ずＶｔｈ１＞Ｖｔｈ２＞Ｖｔｈ３＞Ｖｔｈ４となるように設定されるわけではない。例えば、Ｖｔｈ１＞Ｖｔｈ２＝Ｖｔｈ３＞Ｖｔｈ４やＶｔｈ１＞Ｖｔｈ３＞Ｖｔｈ２＞Ｖｔｈ４のように設定することもできる。
【００５５】
この実施形態によれば、第１実施形態と同様の効果を奏するだけでなく、点灯前だけでなく点灯中にも駆動電流が切り換えられるので第１実施形態より電池１８の消耗を抑制することができる。
【００５６】
図８はこの発明の第３実施形態に係る投影装置の点灯中の電圧チェックを説明するフローチャート、図９(ａ)、(ｂ)は電池電圧に対する駆動電流の供給方法を説明する図であり、第１実施形態と共通する部分の説明は省略する。図８において、Ｓ３０１〜Ｓ３０６はそれぞれ各処理ステップを示す。図９(ａ)、(ｂ)、（ｃ）において、縦軸のＶｔｈ１、Ｖｔｈ２、Ｖｔｈ３、Ｖｔｈ４は電池１８の閾値電圧であり、横軸のｔ２０〜ｔ２６はそれぞれチェック時点である。
【００５７】
以下、図５、図８及び図９に基づいて第３実施形態を説明する。
【００５８】
ＣＰＵ１０は、光源２１を点灯させる前に電池電圧検出回路１１からの電池電圧検出信号１１ａを入力し、電池１８の電圧Ｖをチェックする（Ｓ２１）。
【００５９】
ＣＰＵ１０は、電池１８の電圧Ｖが第１の閾値電圧Ｖｔｈ１以上であるか否かを判断する（Ｓ２２）。
【００６０】
ＣＰＵ１０は、図９(ａ)に示すように電池１８の電圧Ｖが第１の閾値電圧Ｖｔｈ１以上であるとき（ＹＥＳ）（ｔ２０）、ＬＥＤ光源２１の駆動電流をＩｓｅｔ１に設定し、図示しない別のルーチンへ進んでＬＥＤ光源２１を点灯させる（Ｓ２３）。
【００６１】
ＬＥＤ光源２１が点灯すると電池１８の電圧Ｖがチェックされる（Ｓ３０１）。
【００６２】
ＣＰＵ１０は、電池１８の電圧Ｖが第３の閾値電圧Ｖｔｈ３以上であるか否かを判断する（Ｓ３０２）。
【００６３】
ＣＰＵ１０は、電池１８の電圧Ｖが第３の閾値電圧Ｖｔｈ３未満のとき（ＮＯ）、電池１８の電圧Ｖが第４の閾値電圧Ｖｔｈ４以上であるか否かを判断する（Ｓ３０３）。
【００６４】
ＣＰＵ１０は、電池１８の電圧Ｖが第４の閾値電圧Ｖｔｈ４以上であるとき（ＹＥＳ）、駆動電流がＩｓｅｔ２であるか否かを判断する（Ｓ３０４）。駆動電流がＩｓｅｔ２であるとき（ＹＥＳ）、図示しない別のルーチンへ進んでＬＥＤ光源２１を点灯させる。
【００６５】
駆動電流がＩｓｅｔ２でないとき（ＮＯ）、駆動電流をＩｓｅｔ１からＩｓｅｔ２へ徐々に低減させる（Ｓ３０５）。これによってＬＥＤ光源２１の輝度をユーザが気が付かないように低減させることができ、ユーザに不快感を与えないようにすることができる。例えば、１秒当たり駆動電流Ｉｓｅｔ１の１％づつ駆動電流を低減させる。
【００６６】
ＣＰＵ１０は、電池１８の電圧Ｖが第４の閾値電圧Ｖｔｈ４未満のとき（ＮＯ）、ＬＥＤ光源２１の点灯を禁止するフラグをセットし、図示しない別のルーチンへ進んでＬＥＤ光源２１を消灯させる（Ｓ３０６）。このとき、電池残量が僅かとなったのでＬＥＤ光源２１を消灯することをユーザに音等で知らせる。
【００６７】
ＣＰＵ１０は、図９(ｂ)に示すように点灯前の電池１８の電圧Ｖが第１の閾値電圧Ｖｔｈ１未満であるとき（ＮＯ）、電池１８の電圧Ｖが第２の閾値電圧Ｖｔｈ２以上であるか否かを判断する（Ｓ２４）。
【００６８】
ＣＰＵ１０は電池１８の電圧が第２の閾値電圧Ｖｔｈ２以上であるとき（ＹＥＳ）（図９(ｂ)のｔ２０）、駆動電流をＩｓｅｔ３（ただし、Ｉｓｅｔ２＜Ｉｓｅｔ３＜Ｉｓｅｔ１）に設定し、図示しない別のルーチンへ進んでＬＥＤ光源２１を点灯させる（Ｓ２５）。
【００６９】
ＬＥＤ光源２１が点灯すると電池１８の電圧Ｖがチェックされる（Ｓ３０１）。
【００７０】
ＣＰＵ１０は、電池１８の電圧Ｖが第３の閾値電圧Ｖｔｈ３以上であるか否かを判断する（Ｓ３０２）。
【００７１】
ＣＰＵ１０は、電池１８の電圧Ｖが第３の閾値電圧Ｖｔｈ３未満のとき（ＮＯ）、電池１８の電圧Ｖが第４の閾値電圧Ｖｔｈ４以上であるか否かを判断する（Ｓ３０３）。
【００７２】
ＣＰＵ１０は、電池１８の電圧Ｖが第４の閾値電圧Ｖｔｈ４以上であるとき（ＹＥＳ）、駆動電流がＩｓｅｔ２であるか否かを判断する（Ｓ３０４）。駆動電流がＩｓｅｔ２であるとき（ＹＥＳ）、図示しない別のルーチンへ進んでＬＥＤ光源２１の点灯を継続する。
【００７３】
駆動電流がＩｓｅｔ２でないとき（ＮＯ）、駆動電流をＩｓｅｔ３からＩｓｅｔ２へ徐々に低減させる（Ｓ３０５）。そのため、電池１８の電圧降下速度が低下する。駆動電流がＩｓｅｔ２となった後、その駆動電流は電池１８の電圧Ｖが第４の閾値電圧Ｖｔｈ４未満になるまで維持される。
【００７４】
電池１８の電圧Ｖが第４の閾値電圧Ｖｔｈ４未満になったとき（ＮＯ）、ＬＥＤ光源２１の点灯を禁止するフラグをセットし、図示しない別のルーチンへ進んでＬＥＤ光源２１を消灯させる（Ｓ３０６）。このとき、電池残量が僅かとなったのでＬＥＤ光源２１を消灯することをユーザに音等で知らせる。
【００７５】
この実施形態によれば、第１実施形態と同様の効果を奏する。また、ＬＥＤ光源２１の駆動を駆動電流をＩｓｅｔ３から開始したので、点灯開始時の電圧降下を小さくでき、点灯直後に電池１８の電圧Ｖが第４の閾値電圧Ｖｔｈ４未満になることやシステムリセットを防止することができる。更に、電池１８の電圧Ｖが第３の閾値電圧Ｖｔｈ３未満となった場合、迅速に駆動電流をＩｓｅｔ２とすることができる。
【００７６】
なお、上記実施形態では、電池１８の電圧Ｖで電池残容量を判断したが、デジタルカメラやカムコーダで実施されているように、電池の残容量（パーセント表示等）で直接判定してもよい。
【００７７】
次に、従来行われている駆動電流の低減方法を比較例として説明する。
【００７８】
図１０(ａ)、(ｂ)は比較例に係る電池電圧に対する駆動電流の供給方法を説明する図である。
【００７９】
図１０(ａ)に示すように、電池１８の電圧Ｖが閾値電圧Ｖｔｈより十分に大きい場合、チェック時点ｔ０においてＬＥＤ光源２１を点灯させたとき、予め設定された駆動電流Ｉｓｅｔを光源２１に供給すると、電池１８の電圧Ｖは急激に低下する。そして、電池１８の電圧Ｖが閾値電圧Ｖｔｈ未満になるｔ１まで駆動電流Ｉｓｅｔが光源２１に供給される。
【００８０】
図１０(ｂ)に示すように、電池１８の電圧Ｖが閾値電圧Ｖｔｈより僅かに大きい場合、チェック時点ｔ０においてＬＥＤ光源２１を点灯させたとき、予め設定された駆動電流Ｉｓｅｔを光源２１に供給すると、電池１８の電圧ＶはＬＥＤ光源２１を点灯した直後に閾値電圧Ｖｔｈ未満に低下し、ｔ２で消灯する。
【００８１】
上記のように比較例によれば、電圧降下に起因してＬＥＤ光源２１が点灯直後に突然消灯するおそれがある。
【図面の簡単な説明】
【００８２】
【図１】図１はこの発明の第１実施形態に係る投影装置の構成を示すブロック図である。
【図２】図２は投影装置１の使用状態を示す斜視図である。
【図３】図３はこの発明の第１実施形態に係る投影装置の点灯前電圧チェックを説明するフローチャートである。
【図４】図４(ａ)、(ｂ)は電池電圧に対する駆動電流の供給方法を説明する図である。
【図５】図５はこの発明の第２実施形態に係る投影装置の点灯前電圧チェックを説明するフローチャートである。
【図６】図６はこの発明の第２実施形態に係る投影装置の点灯中の電圧チェックを説明するフローチャートである。
【図７】図７(ａ)、(ｂ)、（ｃ）は電池電圧に対する駆動電流の供給方法を説明する図である。
【図８】図８はこの発明の第３実施形態に係る投影装置の点灯中の電圧チェックを説明するフローチャートである。
【図９】図９(ａ)、(ｂ)は電池電圧に対する駆動電流の供給方法を説明する図である。
【図１０】図１０(ａ)、(ｂ)は比較例に係る電池電圧に対する駆動電流の供給方法を説明する図である。
【符号の説明】
【００８３】
１：投影装置、１０：ＣＰＵ（制御手段）、１１：電池電圧検出回路（電池残容量検出手段）、１３：表示部（表示手段）、１８：電池、２０：投影光学系（投影手段）、２１：ＬＥＤ光源（投影用の光源）。
【図１】
2010134009.tif 000003
【図２】
2010134009.tif 000004
【図３】
2010134009.tif 000005
【図４】
2010134009.tif 000006
【図５】
2010134009.tif 000007
【図６】
2010134009.tif 000008
【図７】
2010134009.tif 000009
【図８】
2010134009.tif 000010
【図９】
2010134009.tif 000011
【図１０】
2010134009.tif 000012